(57)【要約】【課題】陳列された商品が見やすく、かつ商品の傷みを軽減できる商品陳列什器を提供すること。【解決手段】高さの異なる天板２１，３１，４１，５１を複数有し、かつ複数の側板２３，３３，４３，５３に囲まれた躯体６であり、躯体６は３つ以上の複数の分割躯体２，３，４，５の組み合わせ構造よりなり、各分割躯体２，３，４，５の組み合わせ時における各分割躯体２，３，４，５の配置隣接辺２ａ，３ａ，４ａ，５ａが全て同長に構成されている。【選択図】図１
2015173752.tif 000002
【特許請求の範囲】
【請求項１】
高さの異なる天板を複数有し、かつ複数の側板に囲まれた躯体であり、前記躯体は３つ以上の複数の分割躯体の組み合わせ構造よりなり、各分割躯体の組み合わせ時における各分割躯体の配置隣接辺が全て同長に構成されていることを特徴とする商品陳列什器。
【請求項２】
前記分割躯体は、該分割躯体の配置隣接辺同士が直交していることを特徴とする請求項１に記載の商品陳列什器。
【請求項３】
前記分割躯体は、形状の骨組みとなるフレームと該フレームに取付けられる側板及び天板とを備えており、各分割躯体の組み合わせ時において各分割躯体のフレーム同士が近接することを特徴とする請求項１または２に記載の商品陳列什器。
【請求項４】
前記躯体の天板上には、補助棚が載置可能となっており、前記補助棚の高さ寸法の倍数のうち少なくとも一つの値が前記天板同士の高さの差分と一致することを特徴とする請求項１ないし３のいずれかに記載の商品陳列什器。
【発明の詳細な説明】
【技術分野】
【０００１】
本発明は、店舗に設置される商品陳列什器に関する。
【背景技術】
【０００２】
スーパーマーケット等の店舗には、常温保存の商品、例えば果物や野菜などを並べて陳列する商品陳列什器が設置されている。このような商品陳列什器は、側板と天板とにより形成される矩形状のものが一般的である（例えば、特許文献１参照）。
【先行技術文献】
【特許文献】
【０００３】
【特許文献１】特開２００３−１４４２８２号公報（第３頁、第１図）
【発明の概要】
【発明が解決しようとする課題】
【０００４】
このような商品陳列什器は、主に店舗内の目のつきやすい場所に配置され、見栄えを良くするために天板上に果物や野菜などが山積みに陳列されることが多い。しかし、山積みされて下方に位置する商品は土台としてしか機能せず、商品が果物や野菜等の場合は、上部に位置する商品の重みで下方に位置する商品が傷む虞があった。
【０００５】
本発明は、このような問題点に着目してなされたもので、陳列された商品が見やすく、かつ商品の傷みを軽減できる商品陳列什器を提供することを目的とする。
【課題を解決するための手段】
【０００６】
前記課題を解決するために、本発明の商品陳列什器は、
高さの異なる天板を複数有し、かつ複数の側板に囲まれた躯体であり、前記躯体は３つ以上の複数の分割躯体の組み合わせ構造よりなり、各分割躯体の組み合わせ時における各分割躯体の配置隣接辺が全て同長に構成されていることを特徴としている。
この特徴によれば、複数の高さの異なる天板により躯体の天板を段状に形成できるため、商品を各段に分散して陳列し、商品を山積みすることなく立体的な陳列が可能であるため、商品を視認しやすく、かつ商品の傷みを軽減することができる。また、各分割躯体における複数の配置隣接辺が全て同長であるため、配置隣接辺同士の合わせで簡単に商品陳列什器の躯体を構成することができる。
【０００７】
前記分割躯体は、該分割躯体の配置隣接辺同士が直交していることを特徴としている。
この特徴によれば、それぞれの分割躯体の直交する配置隣接辺により分割躯体の組合せ方向を認識できるため、容易かつ確実に分割躯体を組合せて躯体を構成することができる。
【０００８】
前記分割躯体は、形状の骨組みとなるフレームと該フレームに取付けられる側板及び天板とを備えており、各分割躯体の組み合わせ時において各分割躯体のフレーム同士が近接することを特徴としている。
この特徴によれば、各分割躯体の組み合わせ時において各分割躯体のフレーム同士を固定しやすく、商品陳列什器の躯体の全体形状を容易に安定させることができる。
【０００９】
前記躯体の天板上には、補助棚が載置可能となっており、前記補助棚の高さ寸法の倍数のうち少なくとも一つの値が前記天板同士の高さの差分と一致することを特徴としている。
この特徴によれば、天板上に補助棚を載置することで商品を陳列する高さを細かに調整することができる。また、補助棚の高さ寸法の倍数のうち少なくとも一つの値が前記天板同士の高さの差分と一致するため、種々の高さ及び段数を有した段を隣接する天板同士の差分内に収めて設けることができ、規則正しく商品を陳列でき美観に優れる。
【図面の簡単な説明】
【００１０】
【図１】商品陳列什器の構造を示す斜視図である。
【図２】商品陳列什器の構造を示す分解斜視図である。
【図３】第１分割躯体の構造を示す分解斜視図である。
【図４】第４分割躯体の構造を示す分解斜視図である。
【図５】各分割躯体を組み合わせる前の状態を示す展開平面図である。
【図６】商品陳列什器を示す上平面図である。
【図７】補助棚の構造を示す斜視図である。
【図８】各分割躯体の移動規制方法の変形例１を示す斜視図である。
【図９】各分割躯体の移動規制方法の変形例２を示す展開平面図である。
【図１０】各分割躯体の移動規制方法の変形例２を示す斜視図である。
【図１１】躯体の変形例１を示す上平面図である。
【図１２】躯体の変形例２を示す上平面図である。
【図１３】躯体の変形例３を示す上平面図である。
【発明を実施するための形態】
【００１１】
本発明に係る商品陳列什器を実施するための形態を実施例に基づいて以下に説明する。
【実施例】
【００１２】
実施例に係る商品陳列什器につき、図１から図１３を参照して説明する。以下、図１の画面左下側を商品陳列什器の正面側（前方側）とし、図６の画面下側を商品陳列什器の正面側（前方側）として説明する。
【００１３】
図１に示されるように、商品陳列什器１は、スーパーマーケット等の店舗で、例えば野菜や果物などの商品を陳列する際に用いられるものである。尚、本実施例の陳列什器１は、店舗内の通路中央部に島陳列される態様について説明する。
【００１４】
図１及び図２に示されるように、本実施例の陳列什器１は、高さの異なる天板２１，３１，４１，５１を有し、かつ側板２３，２３，３３，３３，４３，４３，５３（図６参照）によりに囲まれた躯体６と、各天板２１，３１，４１，５１上に載置可能な補助棚９，１０，１１，１２と、から主に構成されている。
【００１５】
躯体６は、前述した高さの異なる天板２１，３１，４１，５１をそれぞれ有する第１分割躯体２、第２分割躯体３、第３分割躯体４、及び第４分割躯体５を組み合わせて構成されている。
【００１６】
図３に示されるように、第１分割躯体２は、その形状の骨組みとなるフレーム２２と、フレーム２２の上端に取付けられる天板２１と、フレーム２２の側面に取付けられる側板２３，２３，…と、を備えている。フレーム２２は、前後左右に離間した４本の支柱２２ａ，２２ａ，…と、支柱２２ａ，２２ａ，…の上下端部を繋ぐ杆部材２２ｂ，２２ｂ，…と、を有し、支柱２２ａ，２２ａ，…と杆部材２２ｂ，２２ｂ，…とが図示しないボルト等により固定されている。尚、支柱２２ａ，２２ａ，…と杆部材２２ｂ，２２ｂ，…との接続態様は、前記ボルトに限られず、溶接等により固着されていてもよい。また、支柱２２ａは、隣接する他の支柱２２ａ，２２ａに向けて突出するネジ２４，２４，２４，２４が上下にそれぞれ設けられている。尚、このフレーム２２の下方の四隅には、キャスタ７，７，…が固定配置されている。
【００１７】
また、側板２３の裏面には、フック２７を有する金具２６，２６が固定されており、側板２３は、支柱２２ａのネジ２４，２４にフック２７，２７を係止することによりフレーム２２に対して取付けられる。
【００１８】
また、天板２１は、商品を載置する載置部２１ａと、載置部２１ａの周縁から上方に立設する立設片２１ｂと、載置部２１ａの下面に離間して平行に並設された突出片２１ｃ，２１ｃと、を備えている。この突出片２１ｃの長手寸法は、前記フレーム２２の杆部材２２ｂの長さ寸法よりも短くなっているとともに、突出片２１ｃ，２１ｃの離間幅は、前記フレーム２２の杆部材２２ｂの離間幅よりも短く設定されている。すなわち、突出片２１ｃ，２１ｃは、フレーム２２の上部に配される杆部材２２ｂ，２２ｂ，…により形成される平面視矩形状の空間内に対して挿入できるようになっている。この天板２１は、フレーム２２の前記矩形状の空間内に対して、突出片２１ｃ，２１ｃを挿入した状態でフレーム２２に載置されることにより、突出片２１ｃ，２１ｃが前記矩形状の空間を形成する杆部材２２ｂ，２２ｂ，…に当接して、フレーム２２に対して移動不能に設置される。
【００１９】
また、天板２１の一辺の幅寸法と側板２３の幅寸法は、同一であり、図２に示されるように、フレーム２２に対して天板２１及び側板２３，２３，２３，２３が取付けられることにより第１分割躯体２が形成された状態では、天板２１及び側板２３，２３，２３，２３が面一となった側面部２ａ，２ａ，２ａ，２ａが形成される。
【００２０】
尚、本実施例では、図５に示されるように、第１分割躯体２の側面部２ａの幅寸法γが７５ｃｍに設計され、第１分割躯体２の高さ寸法も７５ｃｍに設計されている。また第１分割躯体２は、隣接する側面部２ａ，２ａ同士により形成された角部２９，２９，２９，２９の角度θが９０度となっている。つまり第１分割躯体２は、略立方体となっている。
【００２１】
また、図示しないが、第２分割躯体３は、高さ寸法が６０ｃｍであり、６０ｃｍの高さ寸法に対応したフレーム、天板３１及び側板３３を備えており、図５に示されるように、平面視において、幅寸法γが７５ｃｍに設計された側面部３ａ，３ａ，３ａ，３ａにより形成された角部３９，３９，３９，３９の角度θが９０度となっている。つまり第２分割躯体３は、略直方体となっている。また、第３分割躯体４は、高さ寸法が４５ｃｍに設定されており、４５ｃｍの高さ寸法に対応したフレーム、天板４１及び側板４３を備えており、図５に示されるように、平面視において、幅寸法γが７５ｃｍに設計された側面部４ａ，４ａ，４ａ，４ａにより形成された角部４９，４９，４９，４９の角度θが９０度となっている。つまり第３分割躯体４は、略直方体となっている。尚、第２分割躯体３及び第３分割躯体４の上記以外の構成は、第１分割躯体２の構成と同一であるため、説明を省略する。
【００２２】
次いで図４に示されるように、第４分割躯体５は、天板５１と、フレーム５２と、側板５３と、を備えている。このフレーム５２は、図６で示す躯体６の外側面側に配された外支柱５２ａ，５２ａと、その外支柱５２ａ，５２ａの上下端を連結する長尺杆部材５２ｂ，５２ｂと、躯体６の内側に配された内支柱５２ｃ，５２ｃと、長尺杆部材５２ｂ，５２ｂの長手中央部から内支柱５２ｃ，５２ｃに延びる連結杆部材５２ｄ，５２ｄ，…と、長尺杆部材５２ｂ，５２ｂと平行に延びて内支柱５２ｃ，５２ｃの上下端を連結する短尺杆部材５２ｅ，５２ｅ、を有し、各部材が図示しないボルトにより固定されている。このフレーム５２の上方の長尺杆部材５２ｂと短尺杆部材５２ｅとには、長尺杆部材５２ｂ及び短尺杆部材５２ｅの上面と面一に延びるブラケット５４，５４，…が固定されている。尚、このフレーム５２の下方の四隅には、キャスタ８，８，…が固定配置されている。更に尚、本実施例では、第４分割躯体５は、４５ｃｍの高さ寸法に設計されている。
【００２３】
側板５３の裏面には、フック５７を有する金具５６，５６が固定されており、この側板５３は、外支柱５２のネジ５２ｆ，５２ｆにフック５７，５７を係止することによりフレーム５２に対して取付けられる。尚、本実施例の第４分割躯体５は、側板５３が図５で示す躯体６の外側面側にのみ取付けられている。さらに尚、第４分割躯体は、フレームを覆い囲うように側板が複数取付けられてもよい。
【００２４】
また、天板５１は、平面視で幅寸法γが７５ｃｍに設計された同一の隣り合う２辺を有しており、この２辺は、第４分割躯体５の側面部５ａ，５ａと成っている。図５に示されるように、第４分割躯体５は、隣接する側面部５ａ，５ａ同士により形成された角部５９の角度θが９０度となっており、平面視略五角形状を成している。この天板５１は、フレーム５２のブラケット５４，５４，…に対して図示しないビス等により固定される。
【００２５】
次に、実際に躯体６を形成する態様について説明する。図２及び図６に示されるように、第１分割躯体２、第２分割躯体３、第３分割躯体４、及び第４分割躯体５は、それぞれが有する角部２９、角部３９、角部４９、及び角部５９を突き合わせるように移動させ、前後左右２列となるように配置することにより躯体６が形成される。
【００２６】
各分割躯体が前後左右２列となるように配置する作業が完了すると、図示しないロック装置により各分割躯体のキャスタ７，７，…及びキャスタ８，８，…の回動を規制する。そのため、躯体６の形成完了時には、各分割躯体の相対移動が防止される。
【００２７】
図６に示されるように、第１分割躯体２、第２分割躯体３、第３分割躯体４、及び第４分割躯体５の角部２９、角部３９、角部４９、及び角部５９は、７５ｃｍに設定された側面部２ａ，２ａ、側面部３ａ，３ａ、側面部４ａ，４ａ、及び側面部５ａ，５ａによりそれぞれ形成されており、躯体６の形成完了時には、各分割躯体の各側面部２ａ，２ａ、側面部３ａ，３ａ、側面部４ａ，４ａ、及び側面部５ａ，５ａ同士が同一長さでそれぞれ当接するため、躯体６は、前後左右の寸法が１５０ｃｍの平面視正方形の区画Ｚの中に収まるようになっている。これら側面部２ａ，２ａ、側面部３ａ，３ａ、側面部４ａ，４ａ、及び側面部５ａ，５ａは、躯体６を形成完了時に隣接する分割躯体と接する配置隣接辺として機能している。
【００２８】
また、前述したように、第１分割躯体２と、第２分割躯体３と、第３分割躯体４及び第４分割躯体５と、は、高さ寸法がそれぞれ異なっているため、図１に示されるように、躯体６の天井部分は、各分割躯体の各天板により段状に形成される。そのため、商品を躯体６の各段に陳列することにより、商品を山積みしなくとも分散させて立体的な陳列が可能となる。そのため、買い物客から商品が視認し易く、且つ見栄えもよくなり、商品の販売が促進される。また、商品を山積みすることによる商品の傷みが生じる虞を軽減できる。更に、低い分割躯体の天板よりも上方に延びる高い分割躯体の側面部を、立体的に陳列した商品を支持する支持部として、あるいは商品販促用の表示部として利用することができる。
【００２９】
また、各分割躯体は、直交する側面部２ａ，２ａ同士、側面部３ａ，３ａ同士、側面部４ａ，４ａ同士、及び側面部５ａ，５ａ同士により直角の角部２９、角部３９、角部４９、及び角部５９が形成されているため、躯体６を形成時には、直角を成す各角部を目印として各分割躯体の組み合わせ方向を容易に認識することができ、容易に且つ確実に各分割躯体を組み合わせて躯体６を構成することができる。
【００３０】
また、各分割躯体の組み合わせ時において、各フレーム同士が各側板を介して近接するため、互いの相対移動を規制して躯体６の全体形状が安定し易い。
【００３１】
このように形成された躯体６は、図６に示されるように、平面視における躯体６の内角が、すべて９０度以上と成っている。これによれば、躯体６の平面視の外形に対して、鋭角で、且つ躯体６から突出する部位が形成されない。そのため、躯体６の傍を通行する客が躯体６に衝突、または引っかかることを防止できるばかりか、客が躯体６に対して衝突したり、引っかかったりした場合でも、その衝撃を近接する各分割躯体が分担して受け止めることができるため、躯体６が分解されることや、躯体６の位置が移動し難くなっている。さらに、各分割躯体のキャスタ７，７，…及びキャスタ８，８，…は、図示しないロック装置により回動を規制されているため、躯体６の位置移動を防止できる。
【００３２】
次に、補助棚について説明する。尚、補助棚９，１０，１１，１２は、サイズが異なる以外同一構成であるため、第３分割躯体４に載置されている補助棚９を例に取り説明し、補助棚１０，１１，１２の説明を省略する。
【００３３】
図７に示されるように、補助棚９は、第３分割躯体４に載置されている。本実施例の補助棚９は、第３分割躯体４と同一の左右幅を有するとともに、第３分割躯体４の半分の前後幅を有しており、補助棚９の高さ寸法βは、５ｃｍに設定されている。また、補助棚９の下方には、突出片１３，１３が設けられ、第３分割躯体４の天板４１の立設片４１ｂに沿って配置できるようになっている。
【００３４】
また、前述したように、第２分割躯体３は、高さ寸法が６０ｃｍであり、第３分割躯体４は、高さ寸法が４５ｃｍに設定されており、第２分割躯体３と第３分割躯体４との高さ寸法の差分αは、１５ｃｍとなっている。すなわち、補助棚９の高さ寸法βは、第２分割躯体３と第３分割躯体４との高さ寸法の差分αの３分の１の寸法となっており、換言すれば、補助棚９の高さ寸法βの倍数の値が、第２分割躯体３と第３分割躯体４との高さ寸法の差分αと一致するようになっている。
【００３５】
これによれば、補助棚９の上に商品を陳列することで、商品の陳列される高さ位置を細やかに調整することができるようになる。さらに、補助棚９の高さ寸法の値の倍数が第２分割躯体３と第３分割躯体４との高さの差分αと一致するため、例えば補助棚９を２段に重ねても第２分割躯体３と第３分割躯体４との高さの差分α内に収めて設けることができ、規則正しく商品を陳列でき美観に優れる。尚、商品陳列什器は、補助棚を省略してもよく、躯体６のみを指して商品陳列什器としてもよい。更に尚、補助棚は、各分割躯体の天板上にボルトなどにより固定的に設置されていてもよいし、予め各分割躯体の天板と一体的に形成されていてもよい。
【００３６】
尚、前記実施例では、図示しないロック装置により各分割躯体のキャスタ７，７，…及びキャスタ８，８，…の回動を規制することにより、躯体６を形成完了時の各分割躯体の移動を防止する態様について説明したが、これに限られず、次のような各分割躯体の移動規制方法がある。尚、前記実施例と同一構成で重複する構成の説明を省略する。
【００３７】
例えば、図８に示されるように、隣り合う分割躯体同士を連結する連結装置１４を用いてもよい。詳しくは、連結装置１４は、隣り合う分割躯体の配置隣接辺同士を跨ぐ接続部材１５と、接続部材１５に取付けられる押圧ネジ１６とを備えている。接続部材１５の一方の側片１５ａには、雌ネジ状の貫通孔１５ｂが設けられており、貫通孔１５ｂに押圧ネジ１６を螺合させることにより、接続部材１５の他方の側片１５ｃに向けて押圧ネジ１６の先端が進行可能になっている。
【００３８】
第１分割躯体２の側面部２ａと第２分割躯体３の側面部３ａを重ね合わせた後、接続部材１５を第１分割躯体２と第２分割躯体３との下方からその側面部２ａ及び側面部３ａを跨ぐように配置するとともに、押圧ネジ１６の先端を進行させる。これにより、接続部材１５の他方の側片１５ｃと押圧ネジ１６の先端とが、第１分割躯体２の杆部材２２ｂと第２分割躯体３の杆部材３２ｂとに当接し、第１分割躯体２と第２分割躯体３とが挟持されることとなる。そのため、第１分割躯体２と第２分割躯体３との相対移動が規制される。また、図示しないがその他の分割躯体の配置隣接辺同士を連結装置１４により連結することで、各分割躯体が相対的に移動規制される。
【００３９】
また、各分割躯体の移動規制方法として次のようなものもある。尚、図９に示されるように、第１分割躯体２’、第２分割躯体３’、第３分割躯体４’は、フレーム２２、フレーム３２、フレーム４２の隣接する２面に対して、側板２３’，２３’、側板３３’，３３’、側板４３’，４３’を取付け、それらに天板２１，天板３１，天板４１を載置することにより形成されている。つまり、フレーム２２、フレーム３２、フレーム４２は、天板２１，天板３１，天板４１の一角に寄せられて配置されている。第１分割躯体２’、第２分割躯体３’、第３分割躯体４’は、同一の幅寸法γ’を有する側面部２ａ’、側面部３ａ’、側面部４ａ’をそれぞれ備えているとともに、第４分割躯体５は、幅寸法γ’を有する側面部５ａ’を有している。
【００４０】
図１０に示されるように、天板２１，天板３１，天板４１、及び天板５１を取付けたフレーム２２，フレーム３２，フレーム４２，及びフレーム５２を組み合わせて配置することでフレーム２２，フレーム３２，フレーム４２，及びフレーム５２をそれぞれ接近させた状態となるため、図示しないボルト等により、各フレーム同士を直接固定できる。そのため、強度が高い躯体６’を構成することができる。
【００４１】
さらに、固定されたフレーム２２，フレーム３２，フレーム４２，及びフレーム５２の外側の側面に側板２３，２３、側板３３，３３、側板４３，４３、及び側板５３を取付けた後、第１分割躯体２’の第２分割躯体３’側に隣接する側面には、天板２１と天板３１との高さ位置の差分の高さを有する化粧板２３１が取付けられるとともに、第１分割躯体２’の第４分割躯体５側に隣接する側面には、天板２１と天板５１との高さ位置の差分の高さを有する化粧板２３２が取付けられる。また、第２分割躯体３’の第３分割躯体４’に隣接する側面には、天板３１と天板４１との高さ位置の差分の高さを有する化粧板３３１が取付けられる。
【００４２】
これによれば、固定されたフレーム２２，フレーム３２，フレーム４２，及びフレーム５２が外部から露見する箇所にのみ化粧板２３１，化粧板２３２，化粧板３３１を取付けるため、フレーム２２，フレーム３２，フレーム４２，及びフレーム５２における外部から露見しない箇所の側板を省略することができ、製造コストを抑えることができる。
【００４３】
また、前記実施例では、躯体６が、４つの第１分割躯体２、第２分割躯体３、第３分割躯体４、及び第４分割躯体５から構成されていたが、これに限られず、例えば図１１に示されるように、高さ寸法の異なる平面視同一形状の６つの分割躯体１０１，１０２，１０３，１０４，１０５，１０６により躯体６１が構成されてもよい。また、このように各分割躯体の配置隣接辺である側面部１０１ａ，１０１ａ、側面部１０２ａ，１０２ａ、側面部１０３ａ，１０３ａ、側面部１０４ａ，１０４ａ、側面部１０５ａ，１０５ａ、及び側面部１０６ａ，１０６ａが、全て同一の長さを有していれば、各側面部により形成される角部１０１ｂ，１０２ｂ，１０３ｂ，１０４ｂ，１０５ｂ，１０６ｂの角度θ’が９０度以下に形成されていてもよい。尚、前述したように、平面視における躯体６１の外径形状の内角が、すべて９０度以上と成っていることが好ましい。
【００４４】
また、図１２に示されるように、躯体６２は、高さ寸法の異なる平面視同一形状の３つ分割躯体２０１，２０２，２０３から構成され、且つ形成された躯体６２の外径形状は、略円形を成している態様も考えられる。このように、躯体は、少なくとも３つ以上の分割躯体から構成されていればよい。また、躯体の外径形状は、円形等であってもよく、配置スペース等に合わせて自由に設計することができる。また、各分割躯体の配置隣接辺である側面部２０１ａ，２０１ａ、側面部２０２ａ，２０２ａ、及び側面部２０３ａ，２０３ａが全て同一の長さを有していれば、各側面部により形成される角部２０１ｂ，２０２ｂ，２０３ｂの角度θ’’が９０度以上に形成されていてもよい。
【００４５】
尚、図１３に示されるように、第１分割躯体４０１、第２分割躯体４０２、第３分割躯体４０３、及び第４分割躯体４０４は、各分割躯体の配置隣接辺である側面部４０１ａ，４０１ｂ、側面部４０２ａ，４０２ｂ、側面部４０３ａ，４０３ｂ、及び側面部４０４ａ，４０４ｂが互いに補完する凹凸曲面を有し、これら分割躯体の外側の側面部が全て同一の幅寸法γ’’を有していれば、これら分割躯体の配置隣接辺である各側面部が曲面状に形成され、これ等各分割躯体を組み合わせて躯体６４を構成してもよい。
【００４６】
以上、本発明の実施例を図面により説明してきたが、具体的な構成はこれら実施例に限られるものではなく、本発明の要旨を逸脱しない範囲における変更や追加があっても本発明に含まれる。
【００４７】
例えば、前記実施例では、第１分割躯体２が一辺の寸法が７５ｃｍの立方体であり、第２分割躯体３の高さ寸法が６０ｃｍであり、第３分割躯体４の高さ寸法が４５ｃｍに設定されている態様について説明したが、各種寸法は、一例であり、使い勝手によって適宜設定することができる。
【００４８】
また、フレームと側板とは、フレームの支柱のネジに対してフックを係止することにより取付けていたが、これに限られず、例えばボルトナット等により取付けてもよい。尚、フレームと側板とが一体形成された部材により天板を支持しても構わない。
【符号の説明】
【００４９】
１                商品陳列什器
２，２’          第１分割躯体
２ａ，２ａ’      第１分割躯体の側面部（配置隣接辺）
３，３’          第２分割躯体
３ａ，３ａ’      第２分割躯体の側面部（配置隣接辺）
４，４’          第３分割躯体
４ａ，４ａ’      第３分割躯体の側面部（配置隣接辺）
５                第４分割躯体
５ａ，５ａ’      第４分割躯体の側面部（配置隣接辺）
６                躯体
７，８            キャスタ
９                補助棚
１０，１１，１２  補助棚
１４              連結装置
２１              第１分割躯体の天板
２２              第１分割躯体のフレーム
２３              第１分割躯体の側板
２９              第１分割躯体の角部
３１              第２分割躯体の天板
３２              第２分割躯体のフレーム
３３              第２分割躯体の側板
３９              第２分割躯体の角部
４１              第３分割躯体の天板
４２，            第３分割躯体のフレーム
４３              第３分割躯体の側板
４９              第３分割躯体の角部
５１              第４分割躯体の天板
５２              第４分割躯体のフレーム
５３              第４分割躯体の側板
５９              第４分割躯体の角部
６１，６２，６４  躯体
Ｚ                区画
α                第２分割躯体と第３分割躯体との高さの差分
β                補助棚の高さ寸法
γ，γ’，γ’’  側面部の幅寸法
θ，θ’，θ’’  角部の角度
【図１】
2015173752.tif 000003
【図２】
2015173752.tif 000004
【図３】
2015173752.tif 000005
【図４】
2015173752.tif 000006
【図５】
2015173752.tif 000007
【図６】
2015173752.tif 000008
【図７】
2015173752.tif 000009
【図８】
2015173752.tif 000010
【図９】
2015173752.tif 000011
【図１０】
2015173752.tif 000012
【図１１】
2015173752.tif 000013
【図１２】
2015173752.tif 000014
【図１３】
2015173752.tif 000015